(57)【要約】【課題】複数のスリープする装置のうちの任意のスリープする装置をウェイクアップさせるための方法を提供すること。【解決手段】複数のスリープする装置のうちの任意の各スリープする装置は、通信ネットワークを介してウェイクアップ装置に結合され、ウェイクアップ装置からサービス機能の要求を受けたときに、ウェイクアップ状態になってウェイクアップ装置にサービス機能を提供するように構成される。方法は最初に、ウェイクアップ装置が、複数のサービス機能を含むサービスの要求を、常時電源オンの通信ネットワークのネットワーク要素に送信するステップを含む。ネットワーク要素は、ウェイクアップ装置からサービスの要求を受信し、サービスの要求を受信したときに、サービスの要求に含まれる複数のサービス機能のうちの任意のサービス機能に対応する複数のスリープする装置のうちの任意の各スリープする装置にウェイクアップするよう要求する。【選択図】      図１
2005184804.tif 000002
【特許請求の範囲】
【請求項１】
複数のスリープする装置のうちの任意のスリープする装置（ＳＤ〜ＳＤ４）をウェイクアップさせるための方法であって、前記複数のスリープする装置のうちの各スリープする装置は、通信ネットワークを介してウェイクアップ装置（ＷＤ〜ＷＤ３）に結合され、前記ウェイクアップ装置（ＷＤ〜ＷＤ３）からサービス機能の要求を受けたときに、ウェイクアップ状態になって前記ウェイクアップ装置（ＷＤ〜ＷＤ３）に前記サービス機能を提供するように構成され、前記方法が、
ａ．前記ウェイクアップ装置（ＷＤ）が、複数のサービス機能を含むサービスの前記要求を、常時電源オンの前記通信ネットワークのネットワーク要素（ＡＭ）に送信するステップと、
ｂ．前記ネットワーク要素（ＡＭ）が、前記ウェイクアップ装置（ＷＤ）からサービスの前記要求を受信するステップと、
ｃ．前記ネットワーク要素（ＡＭ）が、サービスの前記要求を受信したときに、前記ウェイクアップ装置の前記サービス要求の中の前記複数のサービス機能に基づいて、サービスの前記要求に含まれる前記複数のサービス機能のうちの任意のサービス機能に対応する前記複数のスリープする装置のうちの任意の各スリープする装置（ＳＤ〜ＳＤ４）にウェイクアップするよう要求するステップとを含むことを特徴とする方法。
【請求項２】
複数のスリープする装置のうちの任意のスリープする装置（ＳＤ〜ＳＤ４）をウェイクアップさせるためのネットワーク要素（ＡＭ）であって、前記複数のスリープする装置のうちの任意の各スリープする装置は、通信ネットワークを介してウェイクアップ装置（ＷＤ〜ＷＤ３）に結合され、前記ウェイクアップ装置（ＷＤ〜ＷＤ３）からサービスの要求を受けたときに、ウェイクアップ状態になって前記ウェイクアップ装置にサービス機能を提供するように構成され、常時電源オンの前記ネットワーク要素（ＡＭ）が、
ａ．前記ウェイクアップ装置（ＷＤ〜ＷＤ３）によって転送された、複数のサービス機能を含むサービスの前記要求を受信するように構成される要求受信部（ＲＲＰ）と、
ｂ．前記要求受信部（ＲＲＰ）の出力に入力が結合され、サービスの前記要求を受信したときに、前記ウェイクアップ装置（ＷＤ〜ＷＤ３）の前記サービス要求の中の前記複数のサービス機能に基づいて、サービスの前記要求に含まれる前記複数のサービス機能のうちの任意のサービス機能に対応する前記複数のスリープする装置のうちの任意の各スリープする装置（ＳＤ〜ＳＤ４）をウェイクアップさせるための要求を生成するように構成される要求処理部（ＲＰＰ）と、
ｃ．前記要求処理部（ＲＰＰ）の出力に入力が結合され、ウェイクアップさせるための前記要求を、前記複数のスリープする装置のうちの前記任意の各スリープする装置（ＳＤ）に送信するように構成されるウェイクアップ命令転送部（ＷＩＦＰ）とを含むネットワーク要素。
【請求項３】
複数のスリープする装置のうちの任意のスリープする装置をウェイクアップさせるためのウェイクアップ装置（ＷＤ〜ＷＤ３）であって、前記複数のスリープする装置のうちの任意の各スリープする装置は、通信ネットワークを介して前記ウェイクアップ装置に結合され、前記ウェイクアップ装置（ＷＤ〜ＷＤ３）からサービスの要求を受けたときに、ウェイクアップ状態になって前記ウェイクアップ装置にサービス機能を提供するように構成され、前記ウェイクアップ装置（ＷＤ〜ＷＤ３）が、
サービスの要求を常時電源オンの前記通信ネットワークのネットワーク要素に宛てて転送するように構成されるサービス要求転送部（ＳＲＰ）を含み、前記要求されたサービスは、複数のサービス機能を含むことを特徴とするウェイクアップ装置。
【請求項４】
通信ネットワークを介してウェイクアップ装置に結合され、前記ウェイクアップ装置（ＷＤ〜ＷＤ３）からサービスの要求を受けたときに、ウェイクアップ状態になって前記ウェイクアップ装置にサービス機能を提供するように構成されるスリープする装置（ＳＤ〜ＳＤ４）であって、前記スリープする装置（ＳＤ〜ＳＤ４）が、ウェイクアップ要求を受信し、前記ウェイクアップ要求を解釈し、前記スリープする装置をウェイクアップさせるように構成されるウェイクアップ受信／起動部（ＷＲＡＰ〜ＷＲＡＰ４）を含むことを特徴とするスリープする装置。
【発明の詳細な説明】
【技術分野】
【０００１】
本発明は、請求項１の前文に記載のスリープする装置をウェイクアップさせる（ｗａｋｅ  ｕｐ）ための方法、請求項３の前文に記載の関連するウェイクアップ装置、および請求項４の前文に記載の関連するスリープする装置に関する。
【背景技術】
【０００２】
そのような方法および関連装置は、例えば、２０００年２月２日に公開された、Ｒｙｕ，  Ｃｈａｎｇ  ‐Ｈｙｕｎを発明者とする、「ＭＥＴＨＯＤ  ａｎｄ  ＡＰＰＡＲＡＴＵＳ  ｆｏｒ  ＣＯＮＴＲＯＬＬＩＮＧ  ｐｏｗｅｒ  ＯＦ  Ａ  ＣＯＭＰＵＴＥＲ  ｓｙｓｔｅｍ  ＯＮ  Ａ  ＬＡＮ  （ＬＯＣＡＬ  ＡＲＥＡ  Ｎｅｔｗｏｒｋ）」と題する欧州特許出願第０９７７１１２号明細書などから、すでに当技術分野において知られている。
【０００３】
同出願において、ローカルエリアネットワークと呼ばれる通信ネットワークに結合されたコンピュータシステムの電源を、ウェイクオンローカルエリアネットワークＬＡＮ信号を用いて制御する方法が、説明されている。そのようなコンピュータシステムは、コンピュータシステムのネットワークインタフェースにおいてサービス要求装置から送信されたウェイクオンＬＡＮ信号を受信した際に、電源オフ状態と呼ばれるスリープ状態にあるコンピュータシステムをウェイクアップさせる、すなわち、コンピュータシステムに電源を投入できる、「ウェイクオンＬＡＮ」機能を備える。この方法では、ウェイクオンＬＡＮ信号をスリープ中のコンピュータシステムのネットワークインタフェースに送信することによってウェイクアップさせることができるのは、上記のような通信ネットワーク内の１台のパーソナルコンピュータだけである。
【０００４】
しかし、この簡単な技術では、その他のトリガが同時に複数の装置のウェイクアップを要求するような、より手の込んだシナリオにうまく対処することができない。例えば、ＩＰ意識のこともあるＨｉＦｉ＆ＴＶセット、マルチメディアＰＣ、ストレージ装置、ウェブカメラ、およびＤＳＬモデムなどの装置を寄せ集めたマルチメディア接続住宅といった通信ネットワークがあるとする。そのような大衆消費電子製品の大部分は、すでに低電力スタンバイモード、スリープモードを何らかの形で備えており、使用されていない場合はスリープ状態に維持される。
【０００５】
しかし、ユーザが、複数のスリープする装置によって提供される複数のサービス機能から成るようなタイプのサービスを要望したとしても、現状の技術では、ＬＡＮトラフィックをコンピュータシステムのネットワークインタフェースに送信することによって１台のコンピュータシステムしかウェイクアップさせられないので、１台の装置しかウェイクアップさせることができない。したがって、現状の技術では、複数のサービス機能から成るようなタイプのサービスを提供するのに必要とされる、すべてのスリープする装置を同時にウェイクアップさせるために利用可能なソリューションは存在しない。
【特許文献１】欧州特許出願第０９７７１１２号明細書
【発明の開示】
【発明が解決しようとする課題】
【０００６】
本発明の目的は、上記の知られたタイプのスリープする装置をウェイクアップさせるための方法、およびスリープする装置をウェイクアップさせるためのネットワーク要素を提供することであり、しかも、要求されたサービスを提供するのに必要とされる複数のスリープする装置は、同時にウェイクアップさせられる。
【課題を解決するための手段】
【０００７】
本発明によれば、上記の目的は、請求項１に記載のスリープする装置をウェイクアップさせるための方法、請求項２に記載のネットワーク要素、請求項３に記載の関連するウェイクアップ装置、および請求項４に記載の関連するスリープする装置によって達成される。
【０００８】
実際、常時オン状態にあるネットワーク要素を通信ネットワークに組み込むことによって、このネットワーク要素は、ウェイクアップ装置からのサービス要求をいつでも受信することができる。このサービスは、提供される複数のサービス機能を含み、ネットワーク要素は、サービス要求を受信すると、ウェイクアップ装置のサービス要求の中の複数のサービス機能に基づいて、複数のサービス機能のうちの任意のサービス機能に対応する複数のスリープする装置のうちの任意の各スリープする装置をウェイクアップさせるための要求を生成し、その後、複数のサービス機能のうちの任意のサービス機能に対応するスリープする装置をウェイクアップさせるための要求を送信する。
【０００９】
このようにして、ウェイクアップ装置には、あるタイプのサービスを要求したときに、その要求されたサービスを提供するのに必要なすべての装置に、ウェイクアップして、対応する要求されたサービス機能を提供する準備をするよう要求する機構が提供される。
【００１０】
請求項の中で使用される「含む」という語は、その前に列挙される手段に限定する働きをもつと解釈すべきではないことに留意されたい。したがって、「手段ＡとＢを含む装置」という表現の範囲は、構成要素ＡとＢだけから成る装置に限定されるべきではない。上記の表現は、本発明に関連がある装置の構成要素が、ＡとＢだけであることを意味する。
【００１１】
同様に、請求項の中で使用される「結合される」という語は、直接的な接続だけに限定する働きをもつと解釈すべきではないことに留意されたい。したがって、「装置Ｂに結合される装置Ａ」という表現の範囲は、装置Ａの出力が装置Ｂの入力に直接接続される装置またはシステムに限定されるべきではない。上記の表現は、その他の装置または手段を含むこともあるパスが、装置Ａの出力と装置Ｂの入力の間に存在することを意味する。
【００１２】
以下の本発明の一実施形態の説明を添付の図面と併せて参照することによって、本発明の上記およびその他の目的および特徴がより明瞭になり、本発明自体を最もよく理解することができるであろう。
【発明を実施するための最良の形態】
【００１３】
以下の段落で、図面を参照しながら、本発明による、スリープする装置をウェイクアップさせる方法、スリープする装置ＳＤ〜ＳＤ４、ネットワーク要素ＡＭ、およびウェイクアップ装置ＷＤ〜ＷＤ３の実施について説明する。その説明の第１段落で、図１に示す通信システムの主要要素について説明する。第２段落で、前述した要素および説明した手段の間のすべての接続を定義する。その後で、図２に示すスリープする装置ＳＤ、ネットワーク要素ＡＭ、およびウェイクアップ装置ＷＤのすべての関連する機能手段について説明し、続いて、すべての相互接続についても説明する。その後の段落では、スリープする装置をウェイクアップさせる方法の実際の実行について説明する。
【００１４】
本発明による実施形態である通信ネットワークの必須要素は、未使用時にはエネルギー節約戦略のため電源を落とした状態にあるスリープする装置ＳＤ〜ＳＤ４、１つまたは複数のスリープする装置にサービスを要求できるウェイクアップ装置ＷＤ〜ＷＤ３、および通信ネットワークにおいてゲートウェイ、ＡＤＳＬモデム、または場合によっては電話機といった一定の機能性をもち、常時電源オンの状態にあるネットワーク要素ＡＭである。
【００１５】
この実施形態では、ユーザの住宅環境に存在する複数のスリープする装置について、すなわち、最初にストレージサーバＳＤ、さらにＭＰ３プレーヤＳＤ１、デジタルＶＣＲ  ＳＤ２、デジタルカメラＳＤ３、テレビセットＳＤ４について説明することにする。この実施形態におけるネットワーク要素ＡＭは、常時電源がオンになっているＡＤＳＬモデムとする。代替として、ネットワーク要素ＡＭは、常時電源がオンになっており、通信ネットワークの一部を形成するパーソナルコンピュータ、または常時電源がオンになっている、電話機など、通信用のその他の任意の装置とすることもできる。ウェイクアップ装置は、スリープする装置または１組のスリープする装置にサービスを要求できる、電話機ＷＤ、リモートユーザ端末ＷＤ２、または携帯情報端末ＷＤ１とし、例えば、複数のスリープする装置は、ウェイクアップ状態になったときに、要求されたサービスを提供するよう協力する。任意選択で、スリープする装置または１組のスリープする装置のサービスを要求するＵＭＴＳ端末ＷＤ３があってもよい。
【００１６】
ユーザの住宅環境に存在するスリープする装置ＳＤ〜ＳＤ４はそれぞれ、ユーザの家屋内に設置される、以降ＬＡＮと呼ぶ、ローカルエリアネットワークＬＡＮに結合される。代替として、スリープする装置はそれぞれ、無線ネットワークを介して、常時電源オンのネットワーク要素ＡＭに結合することもできる。ＡＤＳＬモデムＡＭは、ＬＡＮをインターネット網ＩＮに結合する。ウェイクアップ装置である電話機ＷＤは、銅線を介して、携帯情報端末ＷＤ１は、ＧＰＲＳエアリンクを介して、それぞれＡＤＳＬモデムに結合される。
【００１７】
代替として、ウェイクアップ装置は、直接ＬＡＮに結合することもできる。
【００１８】
ＵＭＴＳ端末ＷＤ３は、ＵＭＴＳリンクを介してインターネット網ＩＮに結合される。
【００１９】
ウェイクアップ装置ＷＤの基本要素は、常時電源オンの通信ネットワークのネットワーク要素ＡＭに宛ててサービス要求を転送することができるサービス要求部ＳＲＰであり、要求されたサービスは、複数のサービス機能を含む。
【００２０】
常時電源オンのネットワーク要素ＡＭは、サービス要求を受信できる要求受信部ＲＲＰを含み、サービスは、複数のサービス機能を含み、ウェイクアップ装置によって転送される。またネットワーク要素ＡＭには、サービス要求を受信したときに、ウェイクアップ装置ＷＤのサービス要求の中の複数のサービス機能に基づいて、サービス要求に含まれる複数のサービス機能のうちの任意のサービス機能に対応する複数のスリープする装置のうちの任意の各スリープする装置をウェイクアップさせるための要求を生成できる要求処理部ＲＰＰも存在する。さらに、複数のサービス機能のうちのサービス機能に対応する複数のスリープする装置のうちの任意の各スリープする装置ＳＤ〜ＳＤ４をウェイクアップさせる要求を送信するためのウェイクアップ命令転送部ＷＩＦＰも存在する。スリープする装置ＳＤは、ウェイクアップ要求を受信し、その要求を解釈し、スリープする装置をウェイクアップさせることができるウェイクアップ受信／起動部ＷＲＡＰを有する。
【００２１】
ウェイクアップ装置ＷＤ１〜ＷＤ３はどれも、ウェイクアップ装置ＷＤと同じ構造をもち、スリープする装置ＳＤ１〜ＳＤ４はどれも、先に説明したようなスリープする装置ＳＤと同じ構造をもつことに留意されたい。
【００２２】
ウェイクアップ装置のサービス要求部ＳＲＰは、同時にウェイクアップ装置ＷＤの出力端子Ｏ２でもある出力端子をもつ。
【００２３】
また、要求受信部ＲＲＰは、同時にネットワーク要素ＡＭの入力端子Ｉ１でもある入力端子をもち、さらにその出力を要求処理部ＲＰＰの入力に結合する。要求処理部ＲＰＰはさらに、その出力をウェイクアップ命令転送部ＷＩＦＰの入力に結合する。ウェイクアップ命令転送部ＷＩＦＰはさらに、同時にネットワーク要素ＡＭの出力端子Ｏ１でもある出力端子をもつ。
【００２４】
スリープする装置のウェイクアップ受信／起動部ＷＲＡＰは、同時にスリープする装置ＳＤの入力端子Ｉ２でもある入力端子をもつ。
【００２５】
スリープする装置ＳＤ１〜ＳＤ３のウェイクアップ受信／起動部はすべて、同時にスリープする装置ＳＤの入力端子でもある入力端子をもつ。
【００２６】
本発明の動作を説明するため、この実施形態におけるウェイクアップ装置はリモートユーザ端末ＷＤ１であり、ユーザは、インターネット網ＩＮに結合されたパーソナルコンピュータであるリモートユーザ端末ＷＤ１から、リモート操作により、デジタル動画、デジタル画像を表示させ、対応するＭＰ３形式の音声を再生させたいと思っており、動画、画像、音声はすべて、宅内ネットワークのストレージ装置に保存されていると仮定する。
【００２７】
リモートユーザ端末ＷＤ１は、デジタル動画および画像を表示し、ＭＰ３形式で保存された付属音声を同時に再生するよう宅内ネットワークの装置に要求するとき、リモート端末ＷＤ１のサービス要求転送部ＳＲＰに、常時電源オンの通信ネットワークのＡＤＳＬモデムＡＭに宛ててサービス要求を送信させる。この要求されたサービスは、以下のサービス機能、すなわち、保存された１組の動画を最初に表示し、やはりストレージサーバＳＤに保存されたデジタル画像を次に表示するというサービス機能を含む。これらの動画および画像には、やはりストレージサーバＳＤに保存された対応する音楽が付属していてもよい。
【００２８】
次に、ＡＤＳＬモデムＡＭの要求受信部ＲＲＰが、ウェイクアップ装置ＷＤ１によって転送されたサービス要求を受信し、そのサービス要求をＡＤＳＬモデムＡＭの要求処理部ＲＰＰに引き渡す。要求処理部ＲＰＰは、サービス要求を受信すると、ウェイクアップ装置ＷＤ１のサービス要求の中のサービス機能に基づいて、サービス要求に含まれるサービス機能のうちの任意のサービス機能に対応する各スリープする装置をウェイクアップさせるための要求を生成する。
【００２９】
要求処理部ＲＰＰは、サービス要求から、要求されたサービス機能が以下のサービス機能、すなわち、すべてストレージサーバに保存されている、デジタル動画を表示し、デジタル画像を表示し、ＭＰ３音楽ファイルを再生するというサービス機能であることを決定する。デジタル動画を表示するよう要求されたスリープする装置は、スリープ中のデジタルＶＣＲ  ＳＤ２であり、デジタル画像を表示するには、スリープ中のデジタルカメラＳＤ３が必要であり、ＭＰ３音楽ファイルを再生するには、ＭＰ３プレーヤが必要とされ、最後に、すべてのファイルは現在スリープ中の起動すべきストレージサーバＳＤに保存されている。その結果、デジタルＶＣＲ  ＳＤ２、デジタルカメラＳＤ３、ＭＰ３プレーヤＳＤ１、およびストレージサーバＳＤをウェイクアップさせなければならない。その後、要求処理部ＲＰＰが、これらの装置ごとにウェイクアップ要求を生成し、それらの要求をウェイクアップ命令転送部ＷＩＦＰに転送する。その後、ウェイクアップ命令転送部ＷＩＦＰは、先にウェイクアップさせることに決定されたスリープする装置をそれぞれウェイクアップさせるための要求を送信する。
【００３０】
各スリープする装置ＳＤ〜ＳＤ３のウェイクアップ受信／起動部ＷＲＡＰは、ウェイクアップ要求を受信し、その要求を解釈し、その後、対応するスリープする装置ＳＤ〜ＳＤ３をウェイクアップさせる。
【００３１】
代替として、要求処理部ＲＰＰは、ウェイクアップさせるスリープする装置ごとのウェイクアップメッセージを含む単一のウェイクアップ要求を生成することができ、その後で、ウェイクアップ命令転送部ＷＩＦＰは、要求処理部ＲＰＰによって生成されたウェイクアップ要求を、すべてのスリープする装置にブロードキャストする。この状況では、各スリープする装置ＳＤ〜ＳＤ４のウェイクアップ受信／起動部ＷＲＡＰは、ブロードキャストされたウェイクアップ要求を受信し、その後、その要求を解釈して、要求元ウェイクアップ装置ＷＤ１にサービスを提供するために装置をウェイクアップさせるべきかどうかを決定する。スリープする装置ＳＤ、ＳＤ１、ＳＤ２、ＳＤ３のウェイクアップ受信／起動部ＷＲＡＰだけが、対応するスリープする装置のサービスが供給されたことを見出し、その後、その装置をウェイクアップさせる。
【００３２】
最後に一言すると、上述の説明において、本発明の実施形態は機能ブロックによって説明された。上述したそれらのブロックの機能説明から、電子デバイス設計分野に精通した者であれば、よく知られた電子部品を用いて、それらのブロックの実施形態をどのように製造しうるかは明らかであろう。したがって、機能ブロック内部の詳細な構成は示さない。
【００３３】
本発明の原理を具体的な装置および通信ネットワークに関連させて上で説明したが、その説明は例としてのみ行ったものであり、添付の特許請求の範囲によって確定される本発明の範囲を限定するものではないことを明確に理解されたい。
【図面の簡単な説明】
【００３４】
【図１】本発明が実行される通信ネットワークを示す図である。
【図２】図１に示すスリープする装置ＳＤ〜ＳＤ４、ウェイクアップ装置ＷＤ、およびネットワーク要素ＡＭを示す機能図である。
【符号の説明】
【００３５】
ＳＤ、ＳＤ１、ＳＤ２、ＳＤ３、ＳＤ４  スリープする装置
ＷＤ、ＷＤ１、ＷＤ２、ＷＤ３  ウェイクアップ装置
ＡＭ  ネットワーク要素
ＩＮ  インターネット網
ＳＲＰ  サービス要求部
ＲＲＰ  要求受信部
ＲＰＰ  要求処理部
ＷＩＦＰ  ウェイクアップ命令転送部
ＷＲＡＰ  ウェイクアップ受信／起動部
Ｏ１、Ｏ２  出力端子
Ｉ１、Ｉ２  入力端子
【図１】
2005184804.tif 000003
【図２】
2005184804.tif 000004
【外国語明細書】
2005184804.tif 000005
2005184804.tif 000006
2005184804.tif 000007
2005184804.tif 000008
2005184804.tif 000009
2005184804.tif 000010
2005184804.tif 000011
2005184804.tif 000012
2005184804.tif 000013
2005184804.tif 000014
2005184804.tif 000015
2005184804.tif 000016
2005184804.tif 000017
2005184804.tif 000018
2005184804.tif 000019